(57)【特許請求の範囲】
【請求項１】
支持対象物を支持するスタンドであって、
略四角形状の基板と、該基板に各角部から対角方向に外向きに延びるように設けられる４本の支持脚とからなる基台と、
該基台に垂直に立設されるとともに、前記支持対象物を支持する支柱とを備え、
前記４本の支持脚のうちの１本の支持脚を、平面視Ｌ字形状又は側面視逆Ｕ字形状に屈曲するように構成し、当該１本の支持脚に隣接する支持脚を直線状に延びるように構成したことを特徴とするスタンド。
【請求項２】
前記支持対象物は、表示装置であることを特徴とする請求項１に記載のスタンド。
【発明の詳細な説明】
【技術分野】
【０００１】
本発明は、液晶モニター等のパネル表示装置等の各種の支持対象物を支持するスタンドに関し、特に、２つの支持対象物を背面合わせに配置するのに有効なスタンドに関する。
【背景技術】
【０００２】
従来、各種の支持対象物を支持するスタンドの一例として、例えば、特許文献１には、ネットワークを利用した各種のＴＶ会議システムに利用可能なパネル表示装置を支持するスタンドが記載されている。
【０００３】
このスタンドは、十字状に形成した脚部と、脚部の上部中央部に垂直に立設される支柱と、脚部の下部の複数箇所に取り付けられるキャスターとを備えており、支柱の上端部にパネル表示装置が取り付けられている。
【０００４】
このような構成の表示装置を用いて隔地者間でＴＶ会議を行うには、例えば、室内等の所定の位置に長机を配置し、長机の手前側に参加者を配置し、長机の奥側に参加者の各人に対応してそれぞれ表示装置を配置し、参加者の各人が個別の表示装置の表示画面に表示される内容を目視しながら、ＴＶ会議に参加することになる。
【先行技術文献】
【特許文献】
【０００５】
【特許文献１】特開２００４−２２９０５１号公報
【発明の概要】
【発明が解決しようとする課題】
【０００６】
ところで、上記のような構成の表示装置を支持するスタンドにあっては、脚部の中央部に支柱が立設され、この支柱の上端部に表示装置が取り付けられているため、スペースが制限されるような室内等の狭い場所に複数台の表示装置を設置する場合、スタンドの脚部同士が干渉してしまうために複数台の表示装置を接近させた状態で設置することができず、設置スペースが大きくなってしまう。
【０００７】
また、不使用時に室内の隅等に収容する場合に、スタンドの脚部同士が干渉してしまうために、狭い場所に複数台の表示装置を収容することができず、複数台の表示装置を収容するためには広いスペースが必要になる。
【０００８】
本発明は、上記のような従来の問題に鑑みなされたものであって、小さなスペースに複数の支持対象物を設置することができるとともに、小さなスペースに複数の支持対象物を収容可能なスタンドを提供することを目的とする。
【課題を解決するための手段】
【０００９】
上記のような課題を解決するために、本発明は、以下のような手段を採用している。
すなわち、本発明は、支持対象物を支持するスタンドであって、略四角形状の基板と、該基板に各角部から対角方向に外向きに延びるように設けられる４本の支持脚とからなる基台と、該基台に垂直に立設されるとともに、前記支持対象物を支持する支柱とを備え、前記４本の支持脚のうちの１本の支持脚を、平面視Ｌ字形状又は側面視逆Ｕ字形状に屈曲するように構成し、当該１本の支持脚に隣接する支持脚を直線状に延びるように構成したことを特徴とする。
【００１０】
本発明のスタンドによれば、一の支持対象物を支持するスタンドと他の支持対象物を支持するスタンドとを接近して配置する場合、一の支持対象物を支持するスタンドの平面視Ｌ字形状又は側面視逆Ｕ字形状に屈曲するように構成した支持脚の屈曲部の凹部内に、他の支持対象物を支持するスタンドの直線状に延びる支持脚を収容することができる。従って、一の支持対象物を支持するスタンドと他の支持対象物を支持するスタンドとを接近した状態に配置することができるので、小さなスペースに複数の支持対象物を配置又は収容することができる。
【００１１】
また、本発明において、前記支持対象物は、表示装置であることとしてもよい。
【００１２】
本発明のスタンドによれば、一の表示装置を支持するスタンドと他の表示装置を支持するスタンドとを接近して配置する場合、一の表示装置を支持するスタンドの一の支持脚の凹部内に、他の表示装置を支持するスタンドの支持脚を収容することができる。従って、一の表示装置を支持するスタンドと他の表示装置を支持するスタンドとを接近した状態に配置することができるので、小さなスペースに複数の表示装置を配置又は収容することができる。
【発明の効果】
【００１３】
以上、説明したように、本発明によるスタンドによれば、一の支持対象物を支持するスタンドと他の支持対象物を支持するスタンドとを接近して配置する場合、一の支持対象物を支持するスタンドの平面視Ｌ字形状又は側面視逆Ｕ字形状に屈曲するように構成した支持脚の屈曲部の凹部内に、他の支持対象物を支持するスタンドの直線状に延びる支持脚を収容することができる。
従って、一の支持対象物を支持するスタンドと他の支持対象物を支持するスタンドとを接近した状態に配置することができるので、小さなスペースに複数の支持対象物を配置又は収容することができる。この結果、例えば、液晶モニター等の表示装置を支持対象物とする場合には、小さなスペースに複数台の表示装置を配置又は収容することができるので、小さなスペースで複数台の表示装置を用いてＴＶ会議を行うことが可能となり、また、不使用時に小さなスペースに複数台の表示装置を収容することが可能となる。
【図面の簡単な説明】
【００１４】
【図１】本発明によるスタンドの一実施の形態の全体を示した正面図である。
【図２】図１の平面図である。
【図３】図１の側面図であって、表示装置を約４５°に傾けた状態の側面図である。
【図４】表示装置の裏面側の拡大図である。
【図５】図４の平面図である。
【図６】２台の表示装置を背面合わせに配置した状態を示す平面図である。
【図７】図６の側面図であって、表示装置を約４５°に傾けた状態を示す側面図である。
【図８】表示装置の他の配置例を示した平面図である。
【図９】支持脚の変形例を示した概略図である。
【図１０】基板の変形例を示した概略図である。
【図１１】基板の変形例を示した概略図である。
【発明を実施するための形態】
【００１５】
以下、図面を参照しながら本発明の実施の形態について説明する。
図１〜図７には、本発明によるスタンドの一実施の形態が示されていて、図１はスタンドの全体を示す正面図、図２は図１の平面図、図３は図１の側面図であって、支持対象物を約４５°に傾斜させた状態の側面図、図４は図１の支持対象物の裏面側の拡大図、図５は図４の平面図、図６は２つの支持対象物を背面合わせに配置した状態を示す平面図、図７は図６の側面図であって、支持対象物を約４５°に傾けた状態を示す側面図である。
【００１６】
すなわち、本発明によるスタンド１は、各種の支持対象物を支持するのに適用可能なものであって、本実施の形態においては、液晶モニター等のパネル型の表示装置３０を支持対象物とし、この表示装置３０を用いて隔地者間で多人数対多人数のＴＶ会議を行う場合に適用している。
【００１７】
本実施の形態のスタンド１は、図１〜図５に示すように、室内等の床面上を前後左右方向に移動可能かつ旋回可能な基台２と、基台２の上部に垂直に立設される支柱１５と、支柱１５の頂部に一体に設けられる取付け部１９と、取付け部１９に取り付けられる支持手段２１とを備え、支持手段２１に表示装置３０が取り付けられている。
【００１８】
基台２は、図１〜図３に示すように、四角形板状の基板３と、基板３の下面側に設けられる脚部４と、脚部４の下面側に取り付けられるキャスター６と、基板３の下面側に着脱自在に取り付けられる錘１２とから構成され、基板３の上面に支柱１５が垂直に立設されている。基台２は、表示装置３０の表示画面の幅よりも縦横寸法が小さく形成されている。
【００１９】
図２に示すように、脚部４は、基板３の下面側の四隅にそれぞれ溶接等により一体に取り付けられる４本の支持脚５を備えている。各支持脚５の先端下面側には、それぞれキャスター６が転動可能かつ旋回可能に取り付けられ、これらのキャスター６により、基台２、基台２に立設される支柱１５、及び支柱１５に支持手段２１を介して取り付けられる表示装置３０が一体となって室内等の床面上を前後左右方向に移動可能、かつ旋回可能に支持される。
【００２０】
脚部４の４本の支持脚５のうちの３本の支持脚５（以下、「Ｉ形支持脚５ａ」という。）は、角パイプ等から形成される直線状に構成されたものであって、基板３の対角方向に延びるように、かつ、後端部を除くほぼ全体が基板３の角部３ｂから外方に放射状に突出するように、後端部が基板３の下面側に溶接等により一体に連結され、各Ｉ形支持脚５ａの先端下面側にそれぞれキャスター６が転動可能かつ旋回可能に取り付けられている。
【００２１】
図２に示すように、脚部４の４本の支持脚５のうちの他の１本の支持脚５（以下、「Ｌ形支持脚５ｂ」という。）は、角パイプ等から形成される平面視Ｌ字形状をなすものであって、後端部を除くほぼ全体が基板３の一辺３ａから外方に突出し、かつ、基板３から突出する屈曲部５ｃの後端側の部分が基板３の前記一辺３ａと直交し、先端側の部分が基板３の前記一辺３ａと平行をなすように、後端部が基板３の下面側に溶接等により一体に連結され、このＬ形支持脚５ｂの先端下面側にキャスター６が転動可能かつ旋回可能に取り付けられている。この場合、Ｌ形支持脚５ｂは、キャスター６が取り付けられる部分が基板３の対角線上に位置するように、基板３に取り付けられている。
【００２２】
各Ｉ形支持脚５ａの各キャスター６及びＬ形支持脚５ｂのキャスター６は、基板３の中心を中心とする同心円上に配置されるように、各Ｉ形支持脚５ａ及びＬ形支持脚５ｂの先端下面側にそれぞれ取り付けられている。これにより、基台２、基台２に立設される支柱１５、及び支柱１５の頂部に支持手段２１を介して取り付けられる表示装置３０を円滑に前後左右方向に移動可能かつ旋回可能に支持することが可能となる。
【００２３】
キャスター６は、市販のキャスターであって、図１及び図３に示すように、各Ｉ形支持脚５ａ及びＬ形支持脚５ｂの先端下面側にねじ（図示せず）により固定される基部７と、基部７の下部に旋回自在に設けられる支持部８と、支持部８に中央が支持される車軸（図示せず）と、車軸に軸受（図示せず）を介して回転自在に支持される車輪９とを備え、車輪９が車軸回りに回転するとともに、車輪９が支持部８の旋回に追従して旋回することで、基台２、支柱１５、及び表示装置３０が一体となって床面上を前後左右方向に移動し、または床面上を旋回する。
なお、キャスター６は、上記の構成のものに限らず、市販の各種のタイプのものを使用することができる。
【００２４】
上記したＬ形支持脚５ｂの構成により、図２に示すように、Ｌ形支持脚５ｂの基板３から外方に突出している屈曲部５ｃの内側部分には、所望の形状（本実施の形態では台形状）の凹部１１が形成され、この凹部１１内に相手方表示装置３０を支持するスタンド１の脚部４のＩ形支持脚５ａが収容可能に構成されている。
【００２５】
錘１２は、例えば、鉛等の金属材から形成される板状をなす密度の均等なものであって、図１及び図３に示すように、基板３の下面中央部にねじ１３によって着脱自在に取り付けられる。この錘１２による重量を基板３の下面側に付加することにより、基台２の重量を増加させることができるとともに、表示装置３０を含めたスタンド１全体の重心位置を下方に移動させることができるので、基台２の安定性を高めることができる。これにより、基台２の上部に支柱１５を介して支持される表示装置３０を安定して支持することができるとともに、脚部４の各Ｌ形支持脚５ｂ及びＩ形支持脚５ａを短く形成することができる。
【００２６】
また、錘１２は、基板３の下面側に形成される空間を利用して取り付けられるので、使用する表示装置３０の重量及び重心位置等に応じて錘１２の枚数を増減させることにより、重量、重心位置等の異なる各種の表示装置３０を安定して支持可能な基台２とすることができる。
【００２７】
支柱１５は、図３に示すように、基板３の中心から表示装置３０の表示画面の後方側（図３の右方向）にずれた位置に垂直に立設され、この支柱１５の頂部に取付け部１９が一体に設けられ、この取付け部１９に支持手段２１を介して表示装置３０が取り付けられている。
【００２８】
ここで、支柱１５を基板５の中心から表示装置３０の表示画面の後方側にずれた位置に立設しているのは、支柱１５を中心として基台２の前方側の長さを後方側の長さよりも長くするためであり、このような位置に支柱１５を立設することにより、例えば、長机を用いてＴＶ会議をする場合に、基台２の前方側の部分を長机の下に押し込むことが可能となり、長机から食み出る基台２の量を少なくすることができる。
【００２９】
支柱１５は、図１及び図２に示すように、上下方向に伸縮可能な高さ調整機構１６を有し、この高さ調整機構１６によって支柱１５を上下方向に伸縮させることで、支柱１５の頂部の取付け部１９に支持手段２１を介して取り付けられる表示装置３０の上下方向の位置を調整することができる。
【００３０】
本実施の形態においては、図１及び図２に示すように、高さ調整機構１６を備えた支柱１５として、シリンダ本体１７と、シリンダ本体１７内に往復動可能に設けられるロッド１８とを備えた市販のエアーサスペンションを使用し、このエアーサスペンションのシリンダ本体１７の下端を基台２の基板３の上部にねじ（図示せず）により固定し、ロッド１８の上端に箱状の取付け部１９を一体に設け、この取付け部１９の上部に支持手段２１を介して表示装置３０を取り付けている。
なお、取付け部１９は、箱状に限らず、板状等の他の形状に形成してもよい。
【００３１】
図３に示すように、取付け部１９の背面（図３の右側の面）には、コ形状の把手部２０が突出した状態で一体に設けられ、この把手部２０を手で掴んでロッド１８を上下方向に移動させることにより、ロッド１８の上下方向の位置に対応した位置に表示装置３０を調整することができる。
【００３２】
シリンダ本体１７とロッド１８との間には、ロッド１８を上下方向の所定の位置に固定するロック機構（図示せず）が設けられ、このロック機構によりロッド１８を固定することで、ロッド１８に取付け部１９を介して取り付けられる表示装置３０を上下方向の任意の位置に固定することができる。
【００３３】
なお、支柱１５は、エアーサスペンションに限らず、上下方向に伸縮可能な高さ調整機構１６を有するものであればよい。
【００３４】
支持手段２１は、図４及び図５に示すように、２枚の長方形板状の羽根板２２、２３と、各羽根板２２、２３の長辺側の縁部に一体に設けられるスリーブと、両羽根板２２、２３のスリーブを相互に回動自在に連結する連結ロッドとから構成される蝶番２１であって、両羽根板２２、２３が連結ロッド周りに所定の角度範囲内を相互に揺動可能に構成されている。
なお、後述するように、蝶番２１として、羽根板２２と羽根板２３とを揺動させるのに必要な回転トルクが表示装置３０による最大トルクよりも大きくなるように調整されたものを用いる。
【００３５】
本実施の形態においては、図４及び図５に示すように、２つの蝶番２１、２１を直列に並べて取付け部１９の上部に配置し、各蝶番２１の一方の羽根板２２を取付け部１９の上部にねじ２６により固定し、他方の羽根板２３を表示装置３０の裏面中央部にプレート２５を介してねじ２６により固定している。これにより、表示装置３０は、取付け部１９の上部で蝶番２１の他方の羽根板２３と一体に揺動することになり、表示画面が上方を向く位置（他方の羽根板２３が閉じた位置）と表示画面が水平方向を向く位置（他方の羽根板２３が一方の羽根板２２に対して略直角に開いた位置）との間を揺動可能、かつ任意の位置に角度調整可能に構成される。
【００３６】
上記のような範囲内で表示装置３０を角度調整可能とすることにより、例えば、長机の奥側に表示装置３０を配置し、基台２を長机の下に押し込んで支柱１５を長机の奥側の縁に当接させた場合に、表示装置３０を長机の上面において長机の手前側に大きくせり出させることができ、長机の手前側に配置されるＴＶ会議の参加者に表示装置３０の表示画面を近づけることができる。
【００３７】
蝶番２１には、表示装置３０を任意の位置に角度調整した際に、その位置において表示装置３０の自重により蝶番２１に作用する回転トルクよりも大きなトルク値を有するものを使用し、表示装置３０を任意の位置に確実に保持している。つまり、蝶番２１に作用する回転トルクが最大となるのは、表示装置３０の表示画面が水平方向を向く位置であるから、その位置において表示装置３０に作用する回転トルクよりも大きいトルク値を有する蝶番２１を選定して使用している。このようなトルク値を有する蝶番２１を使用することにより、表示装置３０を任意の位置に確実に保持することができる。
【００３８】
本実施の形態においては、表示装置３０として、例えば、重量が９Ｋｇの２４インチの液晶モニターを使用している。この表示装置３０の回転トルクを測定したところ、表示装置３０の表示画面が水平方向を向く位置で回転トルクが最大の約６．９５Ｎ・ｍとなったので、この回転トルクよりも大きいトルク値（約９．２Ｎ・ｍ）を有する蝶番２１を選定して使用した。
なお、本実施の形態においては、約４．６Ｎ・ｍのトルク値を有する蝶番２１を２つ直接に並べて使用しているが、１つ又は３つ以上の蝶番２１を使用して、９．２Ｎ・ｍのトルク値を確保するように構成してもよい。
【００３９】
そして、上記のように構成した本実施の形態によるスタンド１に取り付けた表示装置３０を用いて隔地者間でＴＶ会議を行う場合、例えば、室内等のスペースが制限されるような狭い場所に複数台の表示装置３０を配置するには、図６及び図７に示すように、２台の表示装置３０を一組として、両表示装置３０、３０を背面合わせに配置し、両表示装置３０、３０のスタンド１、１を互いに接近させて、一方のスタンド１の基台２のＬ形支持脚５ｂの屈曲部５ｃの内側の凹部１１内に他方のスタンド１の基台２のＩ形支持脚５ａを収容し、他方のスタンド１の基台２のＬ形支持脚５ｂの屈曲部５ｃの内側の凹部１１内に一方のスタンド１の基台２のＩ形支持脚５ａを収容し、両基台２、２の基板３、３の端面同士を密着させる。
【００４０】
これにより、両スタンド１、１の基台２、２同士を合体することができ、両スタンド１、１を一体として床面上を前後左右方向に移動させたり、旋回させたりすることが可能となり、両スタンド１、１に支持される２台の表示装置３０、３０を背面合わせにした状態で所定の位置に配置することができる。また、両スタンド１、１を一体とした状態で、両スタンド１、１に支持される両表示装置３０、３０を最大で約４５°に傾斜させることができるので、両表示装置３０、３０の表示画面をＴＶ会議の参加者が見難くなるようなことはなく、ＴＶ会議を円滑に進行させることができる。
【００４１】
従って、スペースが制限されるような狭い場所においても、両スタンド１、１の脚部４、４の支持脚５、５同士が干渉し合うことはなく、両スタンド１、１を所望の位置に位置決めし、両スタンド１、１に支持される２台の表示装置３０、３０を目視しながらＴＶ会議を円滑に進行させることができる。
【００４２】
また、表示装置３０の不使用時には、２台の表示装置３０を支持するスタンド１、１を図６に示すように合体させた状態で収容することができるので、室内の隅等の狭いスペースに複数台の表示装置３０を収容することができ、収容に要するスペースを大幅に削減することができる。さらに、収容場所から表示装置３０を出し入れする場合に、２台の表示装置３０、３０を一組として出し入れすることができるので、出し入れ作業を容易に行うことも可能となる。
【００４３】
一方、スペースが制限されないような広い場所に適用する場合には、例えば、図８に示すように、参加者を円陣を組むように配置し、隣接する参加者間にそれぞれ表示装置３０を配置することにより、ＴＶ会議への参加者が左右の表示装置３０の表示画面を目視しながらＴＶ会議を円滑に進行させることができる。
【００４４】
図９には、本発明によるスタンド１の変形例を模式的に示す。
このスタンド１は、４本の支持脚５のうちの１本の支持脚５を側面視逆Ｕ字形状に形成し、このＵ形支持脚５ｄの屈曲部５ｃによって構成される凹部１１内に相手方表示装置３０を支持するスタンド１のＩ形支持脚５ａを収容するように構成したものであって、その他の構成は前述した実施の形態に示すものと同様である。
【００４５】
そして、この変形例によるスタンド１にあっても、前述した実施の形態に示すものと同様に、スペースが制限されるような狭い場所においても、両スタンド１、１の脚部４、４の支持脚５、５同士が干渉し合うことはなく、両スタンド１、１を所望の位置に位置決めし、両スタンド１、１に支持される２台の表示装置３０、３０を目視しながらＴＶ会議を円滑に進行させることができる。
【００４６】
また、表示装置３０の不使用時には、２台の表示装置３０を支持するスタンド１、１を合体させた状態で収容することができるので、室内の隅等の狭いスペースに複数台の表示装置３０を収容することができ、収容に要するスペースを大幅に削減することができる。
【００４７】
さらに、収容場所から表示装置３０を出し入れする場合に、２台の表示装置３０、３０を一組として出し入れすることができるので、出し入れ作業を容易に行うことも可能となる。
【００４８】
なお、前記の説明においては、４本の支持脚５のうちの３本の支持脚５を直線状に延びるように形成し、他の１本の支持脚５を平面視Ｌ字形状又は側面視逆Ｕ字形状に形成したが、３本の支持脚５を直線状に延びる形状以外の形状に形成し、他の１本の支持脚５をＬ字形状、逆Ｕ字形状以外の形状に形成してもよい。要は、２台の表示装置３０、３０を支持するスタンド１、１を互いに接近させる場合に、一方のスタンド１の基台２の支持脚５の屈曲部の内側の凹部内に他方のスタンド１の基台２の支持脚５を収容でき、他方のスタンド１の基台２の支持脚５の屈曲部の内側の凹部内に一方のスタンド１の基台２の支持脚５を収容でき、両基台２、２の基板３、３の端面同士を密着させることができるような形状であればよい。
【００４９】
また、前記の説明においては、基台２の基板３を四角形板状に形成したが、三角形板状、円形状等の他の形状に形成してもよい。基板３を三角形状に形成した例を図１０に示し、基板３を円形状に形成した例を図１１に示す。これらの場合にも、前述した実施の形態に示すものと同様の作用効果を奏する。
【００５０】
さらに、前記の説明においては、本発明を４本の支持脚５を備えたスタンド１に適用したが、３本の支持脚、又は５本以上の支持脚を備えたスタンドに適用してもよいものであり、その場合にも同様の作用効果を奏する。
【００５１】
さらに、前記の説明においては、表示装置３０の角度を調整する支持手段２１として蝶番２１を使用したが、蝶番２１に限らず、表示装置３０を所定の角度に調整し、かつその位置に保持できる機能を有するものであればよい。
【００５２】
さらに、前記の説明においては、支柱１５に高さ調整機構１６を備えたものを使用したが、高さ調整機構１６を備えていない支柱を使用してもよい。
【００５３】
さらに、前記の説明においては、表示装置３０を支持対象物としたが、これに限らず、家具等の他の支持対象物に適用してもよいものであり、その場合にも同様の作用効果を奏する。
【符号の説明】
【００５４】
１  スタンド
２  基台
３  基板
３ａ  一辺
３ｂ  角部
４  脚部
５  支持脚
５ａ  Ｉ字形支持脚
５ｂ  Ｌ字形支持脚
５ｃ  屈曲部
５ｄ  Ｕ字形支持脚
６  キャスター
７  基部
８  支持部
９  車輪
１１  凹部
１２  錘
１３  ねじ
１５  支柱
１６  高さ調整機構
１７  シリンダ本体
１８  ロッド
１９  取付け部
２０  把手部
２１  支持手段（蝶番）
２２  羽根板
２３  羽根板
２５  プレート
２６  ねじ
３０  表示装置
【図１】
0004907704.tif 000002
【図２】
0004907704.tif 000003
【図３】
0004907704.tif 000004
【図４】
0004907704.tif 000005
【図５】
0004907704.tif 000006
【図６】
0004907704.tif 000007
【図７】
0004907704.tif 000008
【図８】
0004907704.tif 000009
【図９】
0004907704.tif 000010
【図１０】
0004907704.tif 000011
【図１１】
0004907704.tif 000012